【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
第１の表面と第２の表面を有する関節インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有することを特徴とする関節インプラント。
【請求項２】
第１の表面と第２の表面を有する関節インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に近似する３次元形状を有することを特徴とする関節インプラント。
【請求項３】
第１の表面と第２の表面を有する軟骨欠損適合インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有することを特徴とする軟骨欠損適合インプラント。
【請求項４】
第１の表面と第２の表面を有する軟骨欠損適合インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に近似する３次元形状を有することを特徴とする軟骨欠損適合インプラント。
【請求項５】
第１の表面と第２の表面を有する軟骨投影インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有することを特徴とする軟骨投影インプラント。
【請求項６】
第１の表面と第２の表面を有する軟骨投影インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に近似する３次元形状を有することを特徴とする軟骨投影インプラント。
【請求項７】
第１の表面と第２の表面を有する軟骨下骨質適合インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有することを特徴とする軟骨下骨質適合インプラント。
【請求項８】
第１の表面と第２の表面を有する軟骨下骨質適合インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に近似する３次元形状を有することを特徴とする軟骨下骨質適合インプラント。
【請求項９】
第１の表面と第２の表面を有する軟骨下骨質投影インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有することを特徴とする軟骨下骨質投影インプラント。
【請求項１０】
第１の表面と第２の表面を有する軟骨下骨質投影インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に近似する３次元形状を有することを特徴とする軟骨下骨質投影インプラント。
【請求項１１】
第１の表面と第２の表面を有する関節インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有し、更に、インプラントが本来の関節の可動性の９０〜９９．９％の関節動作を復元することを特徴とする関節インプラント。
【請求項１２】
第１の表面と第２の表面を有する関節インプラントであって、
第１の表面は関節の第１の関節表面に対向し、第２の表面は関節の第２の関節表面に対向し、更に、第１の若しくは第２の表面の一つの一部、若しくは少なくとも一部が、第１の及び第２の関節表面のうちの一つの形状に実質的に適合する３次元形状を有し、更に、インプラントが関節に作動される剪断力の１００％に耐え得ることを特徴とする関節インプラント。
【請求項１３】
第１の関節表面と第２の関節表面を有する哺乳動物の関節に、適合するインプラントであって、
インプラントは第１の表面と第２の表面を有し、
第１の表面は第１の関節表面の少なくとも一部に対向し、第２の表面は第２の関節表面の少なくとも一部に対向し、更に、第１の若しくは第２の表面の少なくとも一つの少なくとも一部が、第１の関節表面及び第２の関節表面のうちの一つの形状に実質的に適合する３次元形状を有することを特徴とするインプラント。
【請求項１４】
インプラントが、膝、股関節、肘、手首、指、足指、及び足首からなるグループから選択される関節の内部に配置されることを特徴とする請求項１、２、３、４、５、６、７、８、９、１０、１１、１２及び１３のうちのいずれか一つに記載のインプラント。
【請求項１５】
上方表面と下方表面が、上方表面が接触し下方表面が接触する関節表面の少なくとも一つの形状に実質的に適合する３次元形状を有することを特徴とする請求項１、２、３、４、５、６、７、８、９、１０、１１、１２及び１３のうちのいずれか一つに記載のインプラント。
【請求項１６】
インプラントが患者の軟骨欠損の厚さを有する請求項１、２、３、４、５、６、７、８、９、１０、１１、１２及び１３のうちのいずれか一つに記載のインプラント。
【請求項１７】
インプラントが患者の軟骨欠損の８５％の厚さを有する請求項１、２、３、４、５、６、７、８、９、１０、１１、１２及び１３のうちのいずれか一つに記載のインプラント。
【請求項１８】
インプラントが患者の軟骨欠損の６５％と１００％の間の厚さを有する請求項１、２、３、４、５、６、７、８、９、１０、１１、１２及び１３のうちのいずれか一つに記載のインプラント。
【請求項１９】
インプラントが、オフセット値を加えた患者の軟骨欠損厚の値の厚みを有する請求項１、２、３、４、５、６、７、８、９、１０、１１、１２及び１３のうちのいずれか一つに記載のインプラント。
【請求項２０】
インプラントが、オフセット値を加えた患者の軟骨欠損厚の値の８５％の厚みを有する請求項１、２、３、４、５、６、７、８、９、１０、１１、１２及び１３のうちのいずれか一つに記載のインプラント。
【請求項２１】
インプラントが、オフセット値を加えた患者の軟骨欠損厚の値の６５％と１００％の間の厚みを有する請求項１、２、３、４、５、６、７、８、９、１０、１１、１２及び１３のうちのいずれか一つに記載のインプラント。
【請求項２２】
インプラントが、金属若しくは金属合金を含む部材で構成されることを特徴とする請求項１、２、３、４、５、６、７、８、９、１０、１１、１２及び１３のうちのいずれか一つに記載のインプラント。
【請求項２３】
部材が、一つ又は複数の生物学的能動部材を含むことを特徴とする請求項１、２、３、４、５、６、７、８、９、１０、１１、１２及び１３のうちのいずれか一つに記載のインプラント。
【請求項２４】
インプラントが、生物学的能動部材でコートされていることを特徴とする請求項２２に記載のインプラント。
【請求項２５】
インプラントには、金属、金属合金、若しくは重合体が含まれることを特徴とする請求項１、２、３、４、５、６、７、８、９、１０、１１、１２及び１３のうちのいずれか一つに記載のインプラント。
【請求項２６】
縁、ペグ、ピン、クロス部材、歯、及び突出部からなるグループから選択されたアタッチメントのための、第１の表面若しくは第２の表面のうちの少なくとも一つの上の構造を、更に有することを特徴とする請求項１、２、３、４、５、６、７、８、９、１０、１１、１２及び１３のうちのいずれか一つに記載のインプラント。
【請求項２７】
更に、アタッチメントのための複数の構造を有する請求項２６に記載のインプラント。
【請求項２８】
アタッチメントのための構造の相互の位置づけが、対称、非対称、列、円、三角形及びランダムからなるグループから選択されることを特徴とする請求項２７に記載のインプラント。
【請求項２９】
縁及び唇状物からなるグループから選択された周辺構造を更に有することを特徴とする請求項１、２、３、４、５、６、７、８、９、１０、１１、１２及び１３のうちのいずれか一つに記載のインプラント。
【請求項３０】
周辺構造がインプラントの周辺に沿って延在することを特徴とする請求項２９に記載のインプラント。
【請求項３１】
周辺構造がインプラントの周辺の一部に沿って延在することを特徴とする請求項３０に記載のインプラント。
【請求項３２】
第１の表面と第２の表面の各々が、インプラントを貫く長軸に対して傾斜を有し、更に、第２の表面の傾斜に対する第１の表面の傾斜が、正値、負値及びゼロからなるグループから選択されることを特徴とする請求項１、２、３、４、５、６、７、８、９、１０、１１、１２及び１３のうちのいずれか一つに記載のインプラント。
【請求項３３】
インプラントが、第１と第２の関節表面の一つの形状に近似することを特徴とする請求項１、２、３、４、５、６、７、８、９、１０、１１、１２及び１３のうちのいずれか一つに記載のインプラント。
【請求項３４】
インプラントが、インプラントのライブラリから選択されることを特徴とする請求項３３に記載のインプラント。
【請求項３５】
インプラントが、関節の中に挿入された構成を変更することを特徴とする請求項１、２、３、４、５、６、７、８、９、１０、１１、１２及び１３のうちのいずれか一つに記載のインプラント。
【請求項３６】
インプラントが、搭載の間に構成を変更することを特徴とする請求項１、２、３、４、５、６、７、８、９、１０、１１、１２及び１３のうちのいずれか一つに記載のインプラント。のうちのいずれか一つに記載のインプラント。
【請求項３７】
インプラントが更に、第１の部品及び第２の部品を含むことを特徴とする請求項１、２、３、４、５、６、７、８、９、１０、１１、１２及び１３のうちのいずれか一つに記載のインプラント。
【請求項３８】
第１と第２の部品は、統合して形成されるか、不可分で形成されるか、相互結合して形成されるか、相互依存して形成されるか、のうちのいずれか一つであることを特徴とする請求項３６に記載のインプラント。
【請求項３９】
第１の部品が関節と、固定状態、滑動状態、回転状態のうちの少なくとも一つの状態で、係合することを特徴とする請求項３６に記載のインプラント。
【請求項４０】
第２の部品が関節と、固定状態、滑動状態、回転状態のうちの少なくとも一つの状態で、係合することを特徴とする請求項３６に記載のインプラント。
【請求項４１】
第１の部品が第２の部品と係合することを特徴とする請求項３６、３７、３８、及び３９のうちのいずれか一つに記載のインプラント。
【請求項４２】
第１の部品が第２の部品の内部に適合することを特徴とする請求項３６、３７、３８、及び３９のうちのいずれか一つに記載のインプラント。
【請求項４３】
第１の部品が第２の部品と滑動自在に係合することを特徴とする請求項３６、３７、３８、及び３９のうちのいずれか一つに記載のインプラント。
【請求項４４】
第１の部品が第２の部品と回転自在に係合することを特徴とする請求項３６、３７、３８、及び３９のうちのいずれか一つに記載のインプラント。
【請求項４５】
インプラントの一部が磁石であることを特徴とする請求項３６、３７、３８、及び３９のうちのいずれか一つに記載のインプラント。
【請求項４６】
インプラントが複数の部品を有することを特徴とする請求項１、２、３、４、５、６、７、８、９、１０、１１、１２及び１３のうちのいずれか一つに記載のインプラント。
【請求項４７】
複数の部品の第１の部品が関節と、固定状態、滑動状態、回転状態のうちの少なくとも一つの状態で、係合することを特徴とする請求項４６に記載のインプラント
【請求項４８】
複数の部品の第２の部品が関節と、固定状態、滑動状態、回転状態のうちの少なくとも一つの状態で、係合することを特徴とする請求項４６に記載のインプラント
【請求項４９】
複数の部品の第１の部品が複数の部品の第２の部品と係合することを特徴とする請求項４６、４７、及び４８のうちのいずれか一つに記載のインプラント。
【請求項５０】
複数の部品の第１の部品が複数の部品の第２の部品の内部に適合することを特徴とする請求項４６、４７、及び４８のうちのいずれか一つに記載のインプラント。
【請求項５１】
複数の部品の第１の部品が複数の部品の第２の部品と滑動自在に係合することを特徴とする請求項４６、４７、及び４８のうちのいずれか一つに記載のインプラント。
【請求項５２】
複数の部品の第１の部品が複数の部品の第２の部品と回転自在に係合することを特徴とする請求項４６、４７、及び４８のうちのいずれか一つに記載のインプラント。
【請求項５３】
複数の部品の第１の部品が複数の部品の第２の部品と回転自在に且つ滑動自在に係合することを特徴とする請求項４６、４７、及び４８のうちのいずれか一つに記載のインプラント。
【請求項５４】
インプラントが、円形、楕円形、卵形、マメ形状、実質的な円形、実質的な楕円形、実質的な卵形、及び実質的なマメ形状からなるグループから選択された、周辺沿いに形成される形状を有することを特徴とする請求項１、２、３、４、５、６、７、８、９、１０、１１、１２及び１３のうちのいずれか一つに記載のインプラント。
【請求項５５】
インプラントが、球形、半球形、非球形、凸状、凹状、実質的な凸状、及び実質的な凹状からなるグループから選択された、上方表面及び下方表面のうちの少なくとも一つの断面形状を有することを特徴とする請求項１、２、３、４、５、６、７、８、９、１０、１１、１２及び１３のうちのいずれか一つに記載のインプラント。
【請求項５６】
インプラントが、軟骨欠損適合インプラントであることを特徴とする請求項１、２、３、４、５、６、７、８、９、１０、１１、１２及び１３のうちのいずれか一つに記載のインプラント。のうちのいずれか一つに記載のインプラント。
【請求項５７】
インプラントが、軟骨投影インプラントであることを特徴とする請求項１、２、３、４、５、６、７、８、９、１０、１１、１２及び１３のうちのいずれか一つに記載のインプラント。
【請求項５８】
インプラントが、軟骨下骨質適合インプラントであることを特徴とする請求項１、２、３、４、５、６、７、８、９、１０、１１、１２及び１３のうちのいずれか一つに記載のインプラント。
【請求項５９】
インプラントが、１０ｃｍ以下の切り口を経由して外科的に移植されることを特徴とする請求項１、２、３、４、５、６、７、８、９、１０、１１、１２及び１３のうちのいずれか一つに記載のインプラント。
【請求項６０】
インプラントが、６ｃｍ以下の切り口を経由して外科的に移植されることを特徴とする請求項１、２、３、４、５、６、７、８、９、１０、１１、１２及び１３のうちのいずれか一つに記載のインプラント。
【請求項６１】
インプラントが、４ｃｍ以下の切り口を経由して外科的に移植されることを特徴とする請求項１、２、３、４、５、６、７、８、９、１０、１１、１２及び１３のうちのいずれか一つに記載のインプラント。
【請求項６２】
関節の動作範囲が、本来の関節動作の８０％と９９．９％の間にまで復元されることを特徴とする請求項１、２、３、４、５、６、７、８、９、１０、１１、１２及び１３のうちのいずれか一つに記載のインプラント。
【請求項６３】
関節の動作範囲が、本来の関節動作の９０％と９９．９％の間にまで復元されることを特徴とする請求項１、２、３、４、５、６、７、８、９、１０、１１、１２及び１３のうちのいずれか一つに記載のインプラント。
【請求項６４】
関節の動作範囲が、本来の関節動作の９５％と９９．９％の間にまで復元されることを特徴とする請求項１、２、３、４、５、６、７、８、９、１０、１１、１２及び１３のうちのいずれか一つに記載のインプラント。
【請求項６５】
関節の動作範囲が、本来の関節動作の９８％と９９．９％の間にまで復元されることを特徴とする請求項１、２、３、４、５、６、７、８、９、１０、１１、１２及び１３のうちのいずれか一つに記載のインプラント。
【請求項６６】
関節が膝関節であり、
周辺沿いに形成される形状が、円形、楕円形、卵形、マメ形状、実質的な円形、実質的な楕円形、実質的な卵形、及び実質的なマメ形状からなるグループから選択されることを特徴とする請求項１、２、３、４、５、６、７、８、９、１０、１１、１２及び１３のうちのいずれか一つに記載のインプラント。
【請求項６７】
関節が膝関節であり、
インプラントの上方表面が実質的な凸状であることを特徴とする請求項１、２、３、４、５、６、７、８、９、１０、１１、１２及び１３のうちのいずれか一つに記載のインプラント。のうちのいずれか一つに記載のインプラント。
【請求項６８】
関節が膝関節であり、
インプラントの下方表面が実質的な凹状であることを特徴とする請求項１、２、３、４、５、６、７、８、９、１０、１１、１２及び１３のうちのいずれか一つに記載のインプラント。
【請求項６９】
関節が膝関節であり、
インプラントの上方表面が凸状部と凹状部からなることを特徴とする請求項１、２、３、４、５、６、７、８、９、１０、１１、１２及び１３のうちのいずれか一つに記載のインプラント。
【請求項７０】
関節が膝関節であり、
インプラントの下方表面が実質的な凹状であることを特徴とする請求項１、２、３、４、５、６、７、８、９、１０、１１、１２及び１３のうちのいずれか一つに記載のインプラント。
【請求項７１】
関節が股関節であり、
インプラントの断面が、球形及び非球形からなるグループから選択されることを特徴とする請求項１、２、３、４、５、６、７、８、９、１０、１１、１２及び１３のうちのいずれか一つに記載のインプラント。
【請求項７２】
インプラントの周辺が、インプラントの中央部位よりも大きい厚みであることを特徴とする請求項１、２、３、４、５、６、７、８、９、１０、１１、１２及び１３のうちのいずれか一つに記載のインプラント。
【請求項７３】
インプラントの中央部位が、インプラントの周辺よりも大きい厚みであることを特徴とする請求項１、２、３、４、５、６、７、８、９、１０、１１、１２及び１３のうちのいずれか一つに記載のインプラント。
【請求項７４】
腹側部位、背側部位、外側部位及び内側部位を有し、
インプラントは、
インプラントの外側、内側及び腹側部位のうちの少なくとも一つの厚さと等しい若しくは厚さよりも大きい装置の背側部位に沿った厚さを有することを特徴とする請求項１、２、３、４、５、６、７、８、９、１０、１１、１２及び１３のうちのいずれか一つに記載のインプラント。
【請求項７５】
腹側部位、背側部位、外側部位及び内側部位を有し、
インプラントは、
インプラントの外側、内側及び腹側部位のうちの少なくとも一つの厚さと等しい若しくは厚さよりも小さい装置の背側部位に沿った厚さを有することを特徴とする請求項１、２、３、４、５、６、７、８、９、１０、１１、１２及び１３のうちのいずれか一つに記載のインプラント。
【請求項７６】
腹側部位、背側部位、外側部位及び内側部位を有し、
インプラントは、
インプラントの腹側、背側及び外側部位のうちの少なくとも一つの厚さと等しい若しくは厚さよりも小さい装置の内側部位に沿った厚さを有することを特徴とする請求項１、２、３、４、５、６、７、８、９、１０、１１、１２及び１３のうちのいずれか一つに記載のインプラント。
【請求項７７】
腹側部位、背側部位、外側部位及び内側部位を有し、
インプラントは、
インプラントの腹側、背側及び外側部位のうちの少なくとも一つの厚さと等しい若しくは厚さよりも大きい装置の内側部位に沿った厚さを有することを特徴とする請求項１、２、３、４、５、６、７、８、９、１０、１１、１２及び１３のうちのいずれか一つに記載のインプラント。
【請求項７８】
腹側部位、背側部位、外側部位及び内側部位を有し、
インプラントの少なくとも一つの部品は、
インプラントの外側、内側及び腹側部位のうちの少なくとも一つの厚さと等しい若しくは厚さよりも大きい装置の背側部位に沿った厚さを有することを特徴とする請求項３７又は４６に記載のインプラント。
【請求項７９】
腹側部位、背側部位、外側部位及び内側部位を有し、
インプラントの少なくとも一つの部品は、
インプラントの外側、内側及び腹側部位のうちの少なくとも一つの厚さと等しい若しくは厚さよりも小さい装置の背側部位に沿った厚さを有することを特徴とする請求項３７又は４６に記載のインプラント。
【請求項８０】
腹側部位、背側部位、外側部位及び内側部位を有し、
インプラントの少なくとも一つの部品は、
インプラントの腹側、背側及び外側部位のうちの少なくとも一つの厚さと等しい若しくは厚さよりも小さい装置の腹側部位に沿った厚さを有することを特徴とする請求項３７又は４６に記載のインプラント。
【請求項８１】
腹側部位、背側部位、外側部位及び内側部位を有し、
インプラントの少なくとも一つの部品は、
インプラントの腹側、背側及び外側部位のうちの少なくとも一つの厚さと等しい若しくは厚さよりも大きい装置の腹側部位に沿った厚さを有することを特徴とする請求項３７又は４６に記載のインプラント。
【請求項８２】
第１と第２の表面を有し、第１の若しくは第２の表面のうちの少なくとも一つが関節表面の形状に実質的に適合する３次元形状を有する、インプラントを、関節鏡の助力により、関節検査法で移植する、若しくは移植するステップを含むことを特徴とする関節を修復するための処置。
【請求項８３】
移植の前に関節の画像を分析するステップを、更に含むことを特徴とする請求項８２に記載の処置。
【請求項８４】
画像が、ＭＲＩ、ＣＴ、ｘ線、及びそれらの組み合わせからなるグループから選択された３次元画像であることを特徴とする請求項８２に記載の処置。
【請求項８５】
１０ｃｍ以下の切り口を作るステップを更に含むことを特徴とする請求項８２に記載の処置。
【請求項８６】
６ｃｍ以下の切り口を作るステップを更に含むことを特徴とする請求項８２に記載の処置。
【請求項８７】
４ｃｍ以下の切り口を作るステップを更に含むことを特徴とする請求項８２に記載の処置。
【請求項８８】
関節の一つ又は複数の関節表面の３次元形状を決定するステップと、
第１の表面と第２の表面を有するインプラントを作成するステップを含む、関節に適合するインプラントを作る方法であって、
第１の表面と第２の表面は関節の第１と第２の関節表面に対向し、更に、第１の若しくは第２の表面の少なくとも一つの一部若しくは全部が、関節表面の３次元形状に実質的に適合する３ことを特徴とする方法。
【請求項８９】
３次元形状が、関節の画像を取得することによって、決定されることを特徴とする請求項８８に記載の方法。
【請求項９０】
画像が、ＭＲＩ、ＣＴ、ｘ線、及びそれらの組み合わせからなるグループから選択されることを特徴とする請求項８９に記載の方法。
【請求項９１】
上方表面と下方表面を有する膝関節に適合するインプラントであって、
上方表面は大腿骨の少なくとも一部に対向し、下方表面は脛骨表面の少なくとも一部に対向し、更に、上方若しくは下方表面の少なくともひとつが、大腿骨及び脛骨表面のうちの一つの形状に実質的に適合する３次元形状を有することを特徴とするインプラント。
【請求項９２】
上方表面と下方表面を有する股関節に適合するインプラントであって、
上方表面は寛骨臼の少なくとも一部に係合し、下方表面は大腿骨頭部の少なくとも一部に係合し、更に、上方若しくは下方表面の少なくともひとつの少なくとも一部が、寛骨臼及び大腿骨頭部のうちの一つの形状に実質的に適合する３次元形状を有することを特徴とするインプラント。
【請求項９３】
上方表面と下方表面を有する股関節に適合するインプラントであって、
上方表面は大腿骨頭部の少なくとも一部に係合し、下方表面は寛骨臼の少なくとも一部に係合し、更に、上方若しくは下方表面の少なくともひとつの少なくとも一部が、寛骨臼及び大腿骨頭部のうちの一つの形状に実質的に適合する３次元形状を有することを特徴とするインプラント。
【請求項９４】
上方表面と下方表面を有する足首関節に適合するインプラントであって、
上方表面は遠位の脛骨の少なくとも一部に係合し、下方表面は距骨ドームの少なくとも一部に係合し、更に、上方若しくは下方表面の少なくともひとつの少なくとも一部が、遠位の脛骨及び距骨ドーム表面のうちの一つの形状に実質的に適合する３次元形状を有することを特徴とするインプラント。
【請求項９５】
上方表面と下方表面を有する足首関節に適合するインプラントであって、
上方表面は距骨ドームの少なくとも一部に係合し、下方表面は遠位の脛骨の少なくとも一部に係合し、更に、上方若しくは下方表面の少なくともひとつの少なくとも一部が、遠位の脛骨及び距骨ドーム表面のうちの一つの形状に実質的に適合する３次元形状を有することを特徴とするインプラント。
【請求項９６】
近位表面と遠位表面を有する足指関節に適合するインプラントであって、
近位表面は中足骨頭部の少なくとも一部に係合し、遠位表面は近位の指趾骨の少なくとも一部に係合し、更に、近位若しくは遠位表面の少なくともひとつの少なくとも一部が、中足骨頭部及び近位の指趾骨表面のうちの一つの形状に実質的に適合する３次元形状を有することを特徴とするインプラント。
【請求項９７】
第１の表面と第２の表面を有する肩関節に適合するインプラントであって、
第１の表面は上腕骨頭部の少なくとも一部に係合し、第２の表面は関節窩の少なくとも一部に係合し、更に、第１の若しくは第２の表面の少なくともひとつの少なくとも一部が、上腕骨頭部及び関節窩表面のうちの一つの形状に実質的に適合する３次元形状を有することを特徴とするインプラント。
【請求項９８】
第１の表面と第２の表面を有する肘関節に適合するインプラントであって、
第１の表面は遠位の上腕骨の少なくとも一部に係合し、第２の表面は橈骨及び尺骨の少なくともひとつの少なくとも一部に係合し、更に、第１の若しくは第２の表面の少なくともひとつの少なくとも一部が、遠位の上腕骨、橈骨及び尺骨のうちの一つの形状に実質的に適合する３次元形状を有することを特徴とするインプラント。
【請求項９９】
第１の表面と第２の表面を有する肘関節に適合するインプラントであって、
第１の表面は遠位の橈骨の少なくとも一部に係合し、第２の表面は遠位の尺骨の少なくとも一部に係合し、更に、第１の若しくは第２の表面の少なくともひとつの少なくとも一部が、遠位の橈骨及び遠位の尺骨のうちの一つの形状に実質的に適合する３次元形状を有することを特徴とするインプラント。
【請求項１００】
第１の表面と第２の表面を有する肘関節に適合するインプラントであって、
第１の表面は中手骨頭部の少なくとも一部に係合し、第２の表面は近位の指趾骨の底の少なくとも一部に係合し、更に、第１の若しくは第２の表面の少なくともひとつの少なくとも一部が、中手骨頭部及び近位の指趾骨表面のうちの一つの形状に実質的に適合する３次元形状を有することを特徴とするインプラント。
【請求項１０１】
上方表面と下方表面を有する膝関節に適合する介置インプラントであって、
上方表面は大腿骨の少なくとも一部に対向し、下方表面は脛骨表面の少なくとも一部に対向し、更に、上方若しくは下方表面の少なくともひとつが、大腿骨及び脛骨表面のうちの一つの形状に実質的に適合する３次元形状を有することを特徴とする介置インプラント。
【請求項１０２】
第１の表面と第２の表面を有する哺乳動物の関節に適合するインプラントであって、
第１の表面は第１の関節表面の少なくとも一部に対向し、第２の表面は第２の関節表面の少なくとも一部に対向し、更に、第１の若しくは第２の表面の少なくともひとつの少なくとも一部が、大腿骨及び脛骨表面のうちの一つの形状に実質的に適合する３次元形状を有することを特徴とするインプラント。
【請求項１０３】
上方表面と下方表面が、インプラントの上方表面が接触しインプラントの下方表面が接触する関節表面の少なくとも一つの形状に実質的に適合する３次元形状を有することを特徴とする請求項９１、９２、９３、９４、９５、９６、９７、９８、９９、１００、１０１、及び１０２のうちのいずれか一つに記載のインプラント。